(57)【要約】基地局は、他の基地局の負荷を示す負荷情報を受信し、受信された負荷要素情報の関数として、ダウンリンク送信電力バジェットを判定する。基地局は、隣の基地局での負荷の増加／減少を検出することに応じて、ダウンリンクトラヒックチャネル区分に専用の現在の電力バジェットを減少／増加させることができる。したがって基地局は、少なくともいくつかのケースでは、電力出力を減少させる協力的な方法で動作し、この場合、隣の基地局での負荷は増加し、それによって増加した負荷を用いて基地局への干渉を減少させる。基地局は、ダウンリンク電力バジェットに関してトレードオフ決定を行う際に、可能な代替の送信電力レベル、干渉の推定レベル、および／または可能な代替のデータ速度を考慮することができる。
2009512361.tif 000002
【特許請求の範囲】
【請求項１】
各々が少なくとも１つの基地局接続点を含む複数の基地局を含む多元接続無線通信システムの中の、第１基地局を操作する方法であって、
第２基地局に対応する第２基地局接続点の負荷を示す、第２基地局負荷要素情報を受信することと、
前記受信された第２基地局負荷要素情報の関数として、ダウンリンク送信電力バジェットを判定することと、
を含む方法。
【請求項２】
ダウンリンク送信電力バジェットを判定することは、別の基地局接続点に対応するさらなる負荷要素情報の関数として、さらに実行される、請求項１に記載の方法。
【請求項３】
前記別の基地局接続点は、前記第１基地局に対応し、
前記ダウンリンク送信電力バジェットを判定することは、前記さらなる負荷要素情報を前記第２基地局負荷要素情報と比較すること、を含む、
請求項２に記載の方法。
【請求項４】
前記判定されたダウンリンク送信電力バジェットは、少なくともパイロットチャネルとデータトラヒックチャネルとを含むダウンリンク通信チャネルのセットについての電力バジェットであり、
前記パイロットチャネルについての前記判定されたダウンリンク送信電力バジェットの一部は、前記さらなる負荷要素情報および第２の負荷要素情報とは無関係であり、前記データトラヒックチャネルに対応する前記判定されたダウンリンク送信電力バジェットの一部は、前記第２基地局負荷要素情報および前記さらなる負荷要素情報に依存する、
請求項２に記載の方法。
【請求項５】
前記電力バジェットを判定することは、
前記第２基地局の負荷が前記第１基地局の負荷よりも大きいと前記比較が示す場合に、前記バジェットを示す第１値に対応する前記電力バジェットを判定することと、
前記第２基地局の負荷が前記第１基地局の負荷よりも小さいと前記比較が示す場合に、前記第１値によって示される前記電力バジェットよりも大きい電力バジェットを示す第２値に対応する前記電力バジェットを判定することと、
を含む、
請求項３に記載の方法。
【請求項６】
前記電力バジェットを判定することは、前記第２基地局での負荷の増加を検出することに応じて、現在の電力バジェットを減少させること、を含む、請求項２に記載の方法。
【請求項７】
前記電力バジェットを判定することは、前記第２基地局での負荷の減少を検出することに応じて、現在の電力バジェットを増加させること、を含む、請求項２に記載の方法。
【請求項８】
前記電力バジェットを判定することは、前記第１基地局での負荷の増加を検出することに応じて、現在の電力バジェットを増加させること、を含む、請求項２に記載の方法。
【請求項９】
前記電力バジェットを判定することは、前記第１基地局での負荷の減少を検出することに応じて、現在の電力バジェットを減少させること、を含む、請求項２に記載の方法。
【請求項１０】
基地局であって、
別の基地局に対応する基地局接続点の負荷を示す、基地局負荷要素情報を受信するための手段と、
ダウンリンク送信電力バジェットを判定するための手段と、を備え、
ダウンリンク送信電力バジェットを判定するための前記手段は、前記受信された基地局負荷要素情報の関数として、前記ダウンリンク送信電力バジェットを判定する、
基地局。
【請求項１１】
ダウンリンク送信電力バジェットを判定するための前記手段は、さらなる基地局接続点に対応するさらなる負荷要素情報の関数として、前記ダウンリンク送信電力バジェットを判定する、請求項１０に記載の基地局。
【請求項１２】
前記さらなる基地局接続点は、前記基地局に対応し、
ダウンリンク送信電力バジェットを判定するための前記手段は、前記さらなる負荷要素情報を前記別の基地局の負荷要素情報と比較するための手段、を含む、
請求項１１に記載の基地局。
【請求項１３】
前記判定されたダウンリンク送信電力バジェットは、少なくともパイロットチャネルとデータトラヒックチャネルとを含むダウンリンク通信チャネルのセットについての電力バジェットであり、
前記パイロットチャネルについての前記判定された電力バジェットの一部は、前記別の負荷要素情報およびさらなる負荷要素情報とは無関係であり、前記データトラヒックチャネルに対応する前記判定されたダウンリンク送信電力バジェットの一部は、前記別の基地局負荷要素情報および前記さらなる負荷要素情報に依存する、
請求項１１に記載の基地局。
【請求項１４】
ダウンリンク電力バジェットを判定するための前記手段は、前記別の基地局の負荷が前記基地局の負荷よりも大きいと前記比較が示す場合に、前記バジェットを示す第１値に対応する前記ダウンリンク送信電力バジェットを判定し、前記別の基地局の負荷が前記基地局の負荷よりも小さいと前記比較が示す場合に、前記第１値によって示される前記電力バジェットよりも大きい電力バジェットを示す第２値に対応する前記ダウンリンク送信電力バジェットを判定する、請求項１２に記載の基地局。
【請求項１５】
ダウンリンク送信電力バジェットを判定するための前記手段は、前記別の基地局での負荷の増加を検出することに応じて、現在の電力バジェットを減少させる、請求項１１に記載の基地局。
【請求項１６】
ダウンリンク送信電力バジェットを判定するための前記手段は、前記第２基地局での負荷の減少を検出することに応じて、現在の電力バジェットを増加させる、請求項１１に記載の基地局。
【請求項１７】
ダウンリンク送信電力バジェットを判定するための前記手段は、前記基地局での負荷の変化を追跡するための手段を含み、ダウンリンク送信電力バジェットを判定するための前記手段は、前記基地局での負荷の増加を検出することに応じて、現在の電力バジェットを増加させる、請求項１１に記載の基地局。
【請求項１８】
ダウンリンク送信電力バジェットを判定するための前記手段は、前記基地局での負荷の変化を追跡するための手段を含み、ダウンリンク送信電力バジェットを判定するための前記手段は、前記基地局での負荷の減少を検出することに応じて、現在の電力バジェットを減少させる、請求項１１に記載の基地局。
【請求項１９】
基地局であって、
少なくとも１つの他の基地局に対応する少なくとも１つの基地局接続点の負荷を示す基地局負荷要素情報を通信する信号を、受信するためのインターフェースと、
前記受信された信号から、少なくとも１つの他の基地局に対応する負荷要素情報を回収するための、負荷要素情報回収モジュールと、
ダウンリンク送信電力バジェット判定モジュールと、
を備え、前記ダウンリンク送信電力バジェット判定モジュールは、少なくとも１つの他の基地局に対応する前記回収された負荷要素情報の関数として、前記基地局の接続点についてダウンリンク送信電力バジェットを判定する、
基地局。
【請求項２０】
前記基地局の接続点に対応する負荷要素を判定するための負荷要素判定モジュールと、
前記基地局の接続点に対応する前記判定された負荷要素を、別の基地局の接続点に対応する回収された負荷要素と比較するための負荷要素比較モジュールと、
をさらに備え、前記ダウンリンク送信電力バジェット判定モジュールは、前記ダウンリンク電力バジェットを判定する際に、前記負荷要素比較モジュールの結果を使用する、
請求項１９に記載の基地局。
【請求項２１】
前記判定された電力バジェットは、少なくともパイロットチャネルとデータトラヒックチャネルとを含むダウンリンク通信チャネルのセットについての電力バジェットであり、
前記パイロットチャネルについての前記判定された電力バジェットの一部は、前記他の負荷要素情報およびさらなる負荷要素情報とは無関係であり、前記データトラヒックチャネルに対応する前記電力バジェットの一部は、前記他の基地局負荷要素情報および前記さらなる負荷要素情報に依存する、
請求項１９に記載の基地局。
【請求項２２】
前記ダウンリンク送信電力バジェット判定モジュールは、前記他の基地局の負荷が前記基地局の負荷よりも大きいと前記負荷要素比較モジュールが判定する場合に、前記バジェットを示す第１値に対応する前記電力バジェットを判定し、前記他の基地局の負荷が前記基地局の負荷よりも小さいと前記負荷要素比較モジュールが示す場合に、前記第１値によって示される前記電力バジェットよりも大きい電力バジェットを示す第２値に対応する前記電力バジェットを判定する、請求項２１に記載の基地局。
【請求項２３】
基地局接続点での負荷要素の変化を追跡するための負荷要素トラッキングモジュールをさらに備え、
前記ダウンリンク送信電力バジェット判定モジュールは、前記他の基地局のうちの１つでの負荷の増加を検出することに応じて、現在の電力バジェットを減少させる、
請求項２１に記載の基地局。
【請求項２４】
基地局接続点での負荷要素の変化を追跡するための負荷要素トラッキングモジュールをさらに備え、
前記ダウンリンク送信電力バジェット判定モジュールは、前記他の基地局のうちの１つでの負荷の減少を検出することに応じて、現在の電力バジェットを増加させる、
請求項２１に記載の基地局。
【請求項２５】
基地局接続点での負荷要素の変化を追跡するための負荷要素トラッキングモジュールをさらに備え、
前記ダウンリンク送信電力バジェット判定モジュールは、前記基地局の接続点での負荷の増加を検出することに応じて、現在の電力バジェットを増加させる、
請求項２１に記載の基地局。
【請求項２６】
基地局接続点での負荷要素の変化を追跡するための負荷要素トラッキングモジュールをさらに備え、
前記ダウンリンク送信電力バジェット判定モジュールは、前記基地局の接続点での負荷の減少を検出することに応じて、現在の電力バジェットを減少させる、
請求項２１に記載の基地局。
【請求項２７】
方法を実施するために、複数の基地局を含む多元接続無線通信システムの中の第１基地局を制御するための機械実行可能命令を具現化するコンピュータ可読媒体であって、前記方法は、
第２基地局に対応する第２基地局接続点の負荷を示す第２基地局負荷要素情報を受信することと、
前記受信された第２基地局負荷要素情報の関数として、ダウンリンク送信電力バジェットを判定することと、
を備える、
コンピュータ可読媒体。
【請求項２８】
別の基地局接続点に対応するさらなる負荷要素情報の関数として、ダウンリンク送信電力バジェットを判定するための機械実行可能命令を、さらに具現化する請求項２７に記載のコンピュータ可読媒体。
【請求項２９】
前記別の基地局接続点は、前記第１基地局に対応する、請求項２８に記載のコンピュータ可読媒体。
【請求項３０】
前記ダウンリンク送信電力バジェットを判定することの一部として、さらなる負荷要素情報を前記第２基地局の負荷要素情報と比較するための機械実行可能命令を、さらに具現化する請求項２９に記載のコンピュータ可読媒体。
【請求項３１】
前記判定されたダウンリンク送信電力バジェットは、少なくともパイロットチャネルとデータトラヒックチャネルとを含むダウンリンク通信チャネルのセットについての電力バジェットであり、
前記パイロットチャネルについての前記判定されたダウンリンク送信電力バジェットの一部は、前記さらなる負荷要素情報および第２の負荷要素情報とは無関係であり、前記データトラヒックチャネルに対応する前記判定されたダウンリンク送信電力バジェットの一部は、前記第２基地局負荷要素情報および前記さらなる負荷要素情報に依存する、
請求項３０に記載のコンピュータ可読媒体。
【請求項３２】
通信システムにおいて動作可能な基地局であって、
第２基地局に対応する第２基地局接続点の負荷を示す第２基地局負荷要素情報を受信し、
前記受信された第２基地局負荷要素情報の関数として、ダウンリンク送信電力バジェットを判定する、
ように構成されたプロセッサ、を備えた基地局。
【請求項３３】
前記プロセッサは、
別の基地局接続点に対応するさらなる負荷要素情報の関数として、ダウンリンク送信電力バジェットを判定する、ようにさらに構成された、
請求項３２に記載の基地局。
【請求項３４】
前記別の基地局接続点が前記第１基地局に対応し、
前記プロセッサは、さらなる負荷要素情報を前記第２基地局負荷要素情報と比較することを含む動作によって、ダウンリンク送信電力を判定する、ようにさらに構成された、
請求項３３に記載の基地局。
【請求項３５】
前記判定されたダウンリンク送信電力バジェットは、少なくともパイロットチャネルとデータトラヒックチャネルとを含むダウンリンク通信チャネルのセットについての電力バジェットであり、
前記パイロットチャネルについての前記判定されたダウンリンク送信電力バジェットの一部は、前記さらなる負荷要素情報および第２の負荷要素情報とは無関係であり、前記データトラヒックチャネルに対応する前記判定されたダウンリンク送信電力バジェットの一部は、前記第２基地局負荷要素情報および前記さらなる負荷要素情報に依存する、
請求項３４に記載の基地局。
【発明の詳細な説明】
【優先権の主張】
【０００１】
［米国特許法１１９条のもとでの優先権の主張］
本出願は、２００５年１０月１４日に出願された米国特許出願第１１／２５１，０６９号の一部継続出願、２００５年１２月１４日に出願された米国特許出願第１１／３０２，７２９号の一部継続出願、２００６年７月１４日に出願された米国特許出願第１１／４８６，７１４号の一部継続出願、および２００６年７月１４日に出願された米国特許出願第１１／４８７，０１７号の一部継続出願であり、これらの各々は、参照により、ここに明示的に組み込まれている。
【発明の分野】
【０００２】
本発明は、無線通信システムに関連し、より具体的には、無線通信システムにおける電力制御に関する。  
【背景】
【０００３】
複数の基地局を含む無線通信システムにおいては、少なくともいくつかの基地局は、同じエアリソース(air resources)、例えば周波数スペクトル、を使用し、１つの基地局からのダウンリンク送信(downlink transmission)は、同じ周波数スペクトルを使用する他の、例えば、隣の基地局(adjacent base stations)のダウンリンク送信に干渉する可能性がある。特定の基地局の接続点(particular base station attachment point)でのダウンリンクトラヒックチャネルの負荷条態(downlink traffic channel loading conditions)は典型的に、ユーザの数、ユーザの種類、使用されるアプリケーションの種類、通信されるべきデータの量、誤り許容範囲のレベル、レイテンシ要件(latency requirements)、チャネル条件(channel conditions)、誤り率および無線端末の位置を含む、複数の要素、の関数として、時間とともに変化する。トラヒックチャネル区分(traffic channel segment)の送信電力のレベルを変更することは、特定の無線端末に対する達成可能な情報データ速度に影響を及ぼす可能性があるが、同じ周波数スペクトルを使用する別の、例えば隣の、基地局の、異なる基地局の接続点に接続された他の無線端末の観点からの干渉レベルをも変える。
【０００４】
各基地局の接続点のために固定されたダウンリンク送信電力を使用することによって、システム中の全体的なダウンリンク干渉は制御されることが可能である。ダウンリンクトラヒックチャネル内の異なるサブチャネルに関連した電力は、固定レベルに維持された全体的なダウンリンク電力バジェットによって異なることが可能である。このアプローチは、システムの中の全体的な干渉を制限する傾向にあるが、処理能力(throughput)を最適化するために異なるシステムの負荷条態を利用することはできない。
【０００５】
もし基地局が、単一のダウンリンク電力バジェットに制限されずに、それ自体あるいは隣の基地局で負荷条態を変更することに応じて、そのダウンリンク送信電力バジェットを変えることができれば、有利であろう。もし複数の隣接する基地局が負荷情報を交換し、このようにして、基地局がダウンリンク送信電力のレベルに関しタイムリーに決定することができれば、有益なことであろう。さらに、もし基地局で、特定の基地局についての電力バジェットの判定(power budget determination)が実行されるのであれば、有益なことであるであろうし、基地局は、容易に利用可能な関連情報、例えば、現在の負荷条態、現在のチャネル条件、ユーザのプロフィール、検出された変更、進行中のアプリケーションなど、を有するので、したがって変化しつつある条態に対して、迅速な情報に基づいた応答を容易にする。
【発明の開示】
【０００６】
［概要］
様々な実施形態は、干渉制御の目的、負荷の管理および／または基地局のダウンリンク電力バジェットの動的変化のために使用されることができる情報を、通信し、収集し、測定し、報告し、および／または使用するための、方法および装置を対象とするものである。
【０００７】
様々な実施形態に従って、基地局は、他の、例えば隣の、基地局の負荷(loading)を示す負荷情報(loading information)を受信し、また、基地局は、受信された負荷要素情報(loading factor information)の関数として、ダウンリンク送信電力バジェット(downlink transmission power budget)を判定する(determines)。例えば基地局は、隣の基地局での負荷の増加を検出することに応じて、ダウンリンクトラヒックチャネル区分に専用の現在の電力バジェットを減少させることができる。基地局は、隣の基地局での負荷の減少を検出することに応じて、ダウンリンクトラヒックチャネル区分に専用の現在の電力バジェットを増加させることができる。したがって基地局は、少なくともいくつかのケースでは、電力出力を減少させる協力的な方法で動作する、この場合、隣の基地局(neighboring base station)での負荷は増加し、それにより増加した負荷によって基地局への干渉を減少させる。これは、増大された通信負荷を持つ隣の基地局によって生成された増加した干渉を克服するために、隣の基地局で負荷を増加させることに応じて、電力出力の増加を試みるかもしれないシステムと著しく対照である。説明される方法および装置は、互いに干渉するかもしれない複数の基地局を含んだ通信システムにおける使用のために、特に好適である。これは、複数の基地局を含む無線通信システムでは、１つの基地局からのダウンリンク送信が、他の基地局、例えば同じ周波数スペクトルを使用する隣の基地局、に対して干渉を生成するためである。基地局は、例えばダウンリンクトラヒックチャネルのために、ダウンリンク電力バジェットに関してトレードオフ決定(trade-off decisions)を行う際に、可能な代替の送信電力レベル、干渉の推定レベル、および／または可能な代替のデータ速度を考慮することができる。
【０００８】
様々な実施形態に従う、第１基地局を操作する(operating)例示的な方法は、第２基地局に対応する第２基地局接続点の負荷を示す第２基地局負荷要素情報を、受信することと、前記受信された第２基地局負荷要素情報の関数として、ダウンリンク送信電力バジェットを判定することと、を含む。様々な実施形態に従う、例示的な基地局は、少なくとも１つの他の基地局に対応する少なくとも１つの基地局接続点の負荷を示す、基地局負荷要素情報を通信する信号を受信するためのインターフェース(interface)と、少なくとも１つの他の基地局に対応する負荷要素情報を、受信された信号から回収する(recovering)ための負荷要素情報回収モジュール(loading factor information recovery module)と、ダウンリンク送信電力バジェット判定モジュール(downlink transmission power budget determination module)と、を備え、前記ダウンリンク送信電力バジェット判定モジュールは、少なくとも１つの他の基地局に対応する前記回収された負荷要素情報(recovered loading factor information)の関数として、基地局の接続点についてダウンリンク送信電力バジェットを判定する。
【０００９】
上記の要約(summary)の中で様々な実施形態が論じられてきたが、必ずしもすべての実施形態が同じ特徴を含むわけではないということ、また、上記に説明された特徴のうちのいくつかは必要ではないが、いくつかの実施形態においては望ましいものである場合があるということ、は理解されるべきである。本発明の多くのさらなる特徴、実施形態および利点は、以下の詳細な説明の中で論じられる。
【００１０】
［詳細な説明］
図１は、様々な実施形態に従う、例えば多元接続ＯＦＤＭ無線通信システムなどの例示的な無線通信システム１００を示す図である。例示的な無線通信システム１００は、複数の基地局（基地局１  １０２、．．．、基地局Ｍ  １０４）およびネットワークノード１１０を含む。各基地局（１０２、．．．、１０４）は、少なくとも１つの基地局接続点を含む。基地局（１０２、．．．、１０４）は１つまたは複数のセクタを含み、１つまたは複数のキャリアを使用してもよい。例えば基地局接続点は、いくつかの基地局についてのいくつかの実施形態では、セルとキャリアとの組合せに対応する。いくつかの実施形態においては、いくつかの基地局のための基地局接続点は、セル、セクタおよびキャリアの組合せに対応する。ネットワークノード１１０は、それぞれネットワークリンク（１２０、１２２）を介して（基地局１  １０２、基地局Ｍ  １０４）に結合されている。ネットワークノード１１０はまた、ネットワークリンク１２４を介して、他のネットワークノードおよび／またはインターネットにも結合されている。ネットワークリンク１２０、１２２、１２４は、例えば光ファイバリンク、有線リンクおよび／または無線リンクである。各基地局（基地局１  １０２、基地局Ｍ  １０４）は、それぞれ対応する無線カバーエリア（セル１  １０６、セルＭ  １０８）を有する。
【００１１】
通信システム１００はまた、例えばシステム全体を移動してもよく、そのカバーエリアが、無線端末が現在位置しているところである基地局に接続してもよい移動ノードなどの複数の無線端末も含む。セル１  １０６に現在位置している無線端末（ＷＴ１  １１２、．．．、ＷＴＮ１１４）は、それぞれ無線リンク（１２６、．．．、１２８）を介して基地局１  １０２に結合されている。セルＭ  １０８に現在位置している無線端末（ＷＴ１’１１６、．．．、ＷＴＮ’１１８’）は、それぞれ無線リンク（１３０、．．．、１３２）を介して基地局Ｍ１０４に結合されている。
【００１２】
システム１００の中の少なくともいくつかの基地局は、それ自体の負荷に加えて、他の、例えば隣の基地局からの負荷情報を考慮し、他の、例えば隣の基地局の負荷の関数として、例えば動的に、それらのダウンリンク送信電力バジェットを調整する。いくつかの実施形態では、基地局は、その基地局接続点の１つに対応するそのダウンリンク電力バジェットから独立したそれ自体の判定を行うが、それでも、その判定を行う際には、ローカルな近傍にある、他の、例えば隣の、基地局の受信された負荷情報を利用する。
【００１３】
図２は、様々な実施形態に従ってインプリメントされる例示的な基地局２００を示す図である。例示的な基地局２００は、図１または図４または図５または図６の基地局のうちの任意のものであってよい。例示的な基地局２００は、様々な要素が、データおよび情報を交換できるバス２１２を介してともに結合される、受信機モジュール２０２、送信機モジュール２０４、プロセッサ２０６、Ｉ／Ｏインターフェース２０８およびメモリ２１０を含む。
【００１４】
例えばＯＦＤＭ受信機などの受信機モジュール２０２は、基地局２００が無線端末からアップリンク信号を受信する受信アンテナ２１６に結合されている。いくつかの実施形態では、アップリンク信号は、例えば、基地局２００に接続されている無線端末と、中継器として機能する別の基地局例えば隣の基地局と、を備えた通信システムにおいて、他の複数の基地局に対応する基地局負荷要素情報を含む。
【００１５】
例えばＯＦＤＭ送信機などの送信機モジュール２０４は、基地局２００が通信端末にダウンリンク信号を送信する送信アンテナ２１８に結合されている。ダウンリンク信号は、他の、例えば隣の、基地局に対応する負荷要素情報、および、基地局２００に対応する負荷要素情報、の関数として制御されるトラヒックチャネル信号の電力バジェットを備えた、トラヒックチャネル信号とパイロットチャネル信号とを含む。
【００１６】
Ｉ／Ｏインターフェース２０８は、基地局２００を、インターネットおよび／または他のネットワークノード、例えば隣の基地局、に結合する。負荷要素情報は、Ｉ／Ｏインターフェース２０８を介して、基地局２００と、他の、例えば隣の基地局との間で交換される。したがってＩ／Ｏインターフェース２０８は、少なくとも１つの他の基地局、例えば隣の基地局、に対応する少なくとも１つの基地局接続点の負荷を示す、基地局負荷要素情報を通信する信号を受信する。
【００１７】
メモリ２１０は、ルーティン２２０およびデータ／情報２２２を含む。例えばＣＰＵなどのプロセッサ２０６は、ルーティン２２０を実行し、基地局２２０の動作を制御し、方法をインプリメントするために、メモリ２１０の中のデータ／情報２２２を使用する。
【００１８】
ルーティン(routine)２２０は、通信ルーティン２２４および基地局制御ルーティン２２６を含む。通信ルーティン２２４は、基地局２００によって使用される様々な通信プロトコルを実施する。基地局制御ルーティン２２６はスケジューラ(scheduler)２２８、パイロットチャネルシグナリングモジュール(pilot channel signaling module)２３０、トラヒックチャネルシグナリングモジュール(traffic channel signaling module)２３２、負荷要素情報回収モジュール(traffic channel signaling module 232, a loading factor information recovery module)２３４、ダウンリンク送信電力バジェット判定モジュール(downlink transmission power budget determination module)２３６、負荷要素判定モジュール(loading factor determination module)２３８、負荷要素比較モジュール(loading factor comparison module)２４０および負荷要素トラッキングモジュール(loading factor tracking module)２４２を含む。いくつかの実施形態では、負荷要素比較モジュール２４０および負荷要素トラッキングモジュール２４２のうちの少なくとも１つは、ダウンリンク送信電力バジェット判定モジュール２３６の一部(part)として含まれる。
【００１９】
スケジューラ２２８は、ダウンリンクおよびアップリンクのトラヒックチャネル区分に対して、無線端末をスケジュールする。パイロットチャネルシグナリングモジュール２３０は、例えば繰り返しのタイミングおよび周波数構造の中の所定の位置の所定の電力レベルでのわかっている変調シンボルなど、パイロットチャネル信号の生成および送信を制御する。この例示的な実施形態では、パイロットチャネルは、基地局２００または隣の基地局でのダウンリンク負荷条態には関係なく、同じトーン当たりの送信電力レベルで送信される基地局の接続点に対応する。トラヒックチャネルシグナリングモジュール２３２は、例えばダウンリンクトラヒックチャネル区分信号などのトラヒックチャネル区分信号の生成および送信を制御する。ダウンリンクトラヒックチャネルについての基地局２００の接続点に関連した全体の電力バジェットは、ダウンリンク送信電力バジェット判定モジュール２３６による判定に応じて、動的に調整される。ダウンリンクトラヒックチャネル内の個々のサブチャネルは、場合によって、および時には異なる電力レベルで送信される。
【００２０】
負荷要素情報回収モジュール２３４は、受信された信号から、他の、例えば隣の基地局、の基地局接続点に対応する負荷要素情報を回収する(recovers)。例えば、負荷要素情報回収モジュール２３４は、受信された信号（受信ＢＳ２信号（１）２４４、受信ＢＳ２信号（ｎ）２４６、受信ＢＳ  Ｎ信号（１）２５２、受信ＢＳ  Ｎ信号（ｎ）２５４）から、それぞれ（回収(recovered)ＢＳ２  ＬＦ（ｔ１）２４８、回収ＢＳ２ＬＦ（ｔｎ）２５０、回収ＢＳ  Ｎ  ＬＦ（ｔ１）２５６、回収ＢＳ  ＬＦ（ｔｎ）２５８）を取得する(obtains)。様々な実施形態の中の負荷要素情報は、基地局の接続点のダウンリンク送信の負荷、例えば基地局の接続点でのダウンリンクトラヒックチャネルの負荷、に関係している。
【００２１】
ダウンリンク送信電力バジェット判定モジュール２３６は、少なくとも１つの他の基地局、例えば１つの他の隣接する基地局、に対応する回収された負荷要素情報の関数として、基地局２００の１つまたは複数の接続点についてのダウンリンク送信電力バジェットを判定する。様々な実施形態で、判定される電力バジェットは、少なくともパイロットチャネルとデータトラヒックチャネルとを含む一組のダウンリンク通信チャネルについての電力バジェットである。いくつかの前述のような実施形態では、パイロットチャネルについて判定される電力バジェットの一部(a portion)は負荷要素情報とは無関係(independent)であり、データトラヒックチャネルに対応する電力バジェットの一部(a portion)は、他の、例えば隣の、基地局の基地局負荷要素情報、および基地局２００の負荷要素情報に依存する(depends)。例えば、パイロットチャネル信号は、負荷の関数として変化することのないトーン当たりの電力レベルで送信されてもよく、一方でトラヒックチャネル信号の送信電力レベルは、基地局２００の接続点について判定された負荷要素、および隣の基地局の接続点に対応する受信された負荷要素の関数として変化してもよい。負荷要素比較モジュール２４０の結果は、判定モジュール２３６による入力として使用される。判定された送信電力バジェット(determined transmission power budget)（時間Ｔ１）２６４および判定された送信電力バジェット（時間Ｔｎ）２７０は、判定モジュール２３６からの出力である。
【００２２】
負荷要素判定モジュール２３８は、基地局２００の各接続点について、基地局２００の各接続点に対応する負荷要素を判定する。判定された基地局負荷要素（時間ｔ１）２６０と判定された基地局負荷要素（時間ｔｎ）２６２とは、異なる時間で同じ基地局２００の接続点に対応する判定モジュール２３６の出力を表す。
【００２３】
負荷要素比較モジュール２４０は、基地局２００の接続点に対応する判定された負荷要素を、別の、例えば隣の、基地局の接続点に対応する回収された負荷要素と比較する。
【００２４】
いくつかの実施形態で、ダウンリンク送信電力バジェット判定モジュール２３６は、負荷要素比較モジュール２４０が、例えば比較に関与する、他の、例えば隣の、基地局なの接続点の負荷が基地局２００の接続点の負荷よりも大きいと判定する場合に、前記バジェットを示す第１の値に対応する電力バジェットを判定し、ダウンリンク送信電力バジェット判定モジュール２３６は、前記負荷要素比較モジュール２４０が、例えば比較に関与する他の、例えば隣の、基地局の接続点の負荷が基地局２００の接続点の負荷よりも小さいと判定する場合に、第１の値によって示される電力バジェットよりも大きい電力バジェットを示す第２の値に対応する電力バジェットを判定する。
【００２５】
いくつかの実施形態では、負荷の重い基地局は、負荷要素を受信する基地局がより低い負荷を有し、その送信電力バジェットを減少させるであろうという予想の中で、その負荷要素を隣の基地局に送信する。これは次に、負荷の重い基地局によって受ける干渉を減少させ、負荷の重い基地局での処理能力を増加させることができる。
【００２６】
負荷要素トラッキングモジュール２４２は、基地局接続点、例えば両方の基地局２００に対応する接続点および、他の、例えば隣の、基地局に対応する接続点、での負荷要素の変化を追跡する(tracks)。負荷要素トラッキングモジュール２４２によって識別された、検出された変化は、基地局２００の基地局接続点について電力バジェットを判定する際に、ダウンリンク送信電力バジェット判定モジュール２３６によって使用される。いくつかの実施形態では、ダウンリンク送信電力判定モジュール２３６は、他の、例えば隣の、基地局での、検出された負荷の増加に応じて、基地局２００の接続点の現在の電力バジェットを減少させ、ダウンリンク送信電力判定モジュール２３６は、他の、例えば隣の、基地局での、検出された負荷の減少に応じて、現在の電力バジェットを増加させる。一部の実施形態で、ダウンリンク送信電力判定モジュール２３６は、基地局２００の接続点で検出された負荷の増加に応じて、基地局２００の接続点の現在の電力バジェットを増加させ、ダウンリンク送信電力判定モジュール２３６は、基地局２００の接続点で検出された負荷の減少に応じて、現在の電力バジェットを減少させる。
【００２７】
データ／情報２２２は、時間とともに複数の基地局に対応する負荷要素情報を運搬する受信信号（受信基地局２信号（１）２４４、．．．、受信基地局２信号（ｎ）２４６）、．．．（受信基地局Ｎ信号（１）２５２、．．．受信基地局Ｎ信号（ｎ）２５４）を含む。一部の実施形態で、負荷要素情報を運搬する受信信号は、Ｉ／Ｏインターフェース２０８を通じてバックホールネットワークを介して運搬されている。一部の実施形態で、受信された信号は、例えば情報を中継する２つの基地局に結合された無線端末を用いて、受信機２０２を介して受信されている。データ／情報２１０はまた、異なる時間での基地局２の負荷を表す回収基地局２負荷要素情報（回収ＢＳ２負荷要素（ｔ１）２４８、．．．、回収ＢＳ２負荷要素（ｔｎ）２５０）、異なる時間での基地局Ｎの負荷を表す回収基地局Ｎ負荷要素情報（回収ＢＳ  Ｎ負荷要素（ｔ１）２５６、．．．、回収ＢＳ  Ｎ負荷要素（ｔｎ）２５８）、および異なる時間での基地局２００の負荷を表す判定ＢＳ２００負荷要素情報（判定ＢＳ負荷要素（ｔ１）２６０、．．．判定ＢＳ負荷要素（ｔｎ）２６２）を含む。
【００２８】
データ／情報２２２はまた、ＢＳ２００について時間とともに判定されたダウンリンク電力バジェット情報（判定ダウンリンク送信電力バジェット（Ｔ１）２６４、．．．、判定ダウンリンク送信電力バジェット（Ｔｎ）２７０）も含む。判定ダウンリンク送信電力バジェット情報２６４は、パイロットチャネルバジェット情報２６６および判定ダウンリンクトラヒックチャネルバジェット情報（Ｔ１）２６８を含み、一方で判定ダウンリンク送信電力バジェット（Ｔｎ）２７０は、パイロットチャネル電力バジェット情報２６６および判定ダウンリンクトラヒックチャネル電力バジェット（Ｔｎ）２７２を含む。この例示的な実施形態では、パイロットチャネル信号の送信電力レベルは、負荷条態の関数として変化することはないが、ダウンリンクトラヒックチャネルの電力バジェットは負荷条態の関数として変化することが可能であり、時々変化する、および／または負荷条態は、例えば隣の基地局および／または基地局２００で変化する。
【００２９】
データ／情報２２２はまた、電力バジェットを変更するための比較基準(comparison criteria for altering power budget)２７４、現在のユーザの数２７６、バックログダウンリンクトラヒック情報の量(amount of backlog downlink traffic information)２７８、およびダウンリンクチャネル条態情報(downlink channel condition information)も含む。電力バジェット２７４を変更するための比較基準は、所定のしきい値制限が使用される負荷要素比較モジュール１３４０、負荷要素トラッキングモジュール２４２および／またはダウンリンク送信電力バジェット判定モジュール２３６を含む。現在のユーザ数２７６は、例えば現在登録されているユーザの数、アクティブのユーザの数および／または基地局２００の接続点でＯＮ条態のユーザの数に対応する情報を含む。バックログダウンリンクトラヒックチャネル情報の量２７８は、例えば基地局２００の現在のユーザの各々に対応する、送信されるのを待機しているダウンリンクトラヒックのＭＡＣフレーム数を識別する情報、および登録ユーザの複合体に対応する、送信されるのを待機しているダウンリンクトラヒックのＭＡＣフレーム数を識別する情報を含む。ダウンリンクチャネル条態情報(downlink channel condition information)２８０は、例えば基地局２００の現在のユーザに対応するチャネル条件の測定情報、例えば信号対雑音の測定情報および／または信号対干渉の測定情報を含む。現在のユーザ情報の数２７６、バックログダウンリンクトラヒックチャネル情報の量２７８およびダウンリンクチャネル条態情報(downlink channel condition information)２８０のうちの少なくとも一部は、基地局２００の接続点に対応する負荷要素を判定する際に、負荷要素判定モジュール２３８によって使用される。
【００３０】
図３は、様々な実施形態に従う、例えば移動ノードなどの例示的な無線端末３００の図である。例示的な無線端末３００は、図１または図４または図５または図６の例示的な無線端末のうちの任意のものであってよい。例示的な無線端末３００は、様々な要素がデータ情報を交換できるバス３１２を介してともに結合された第１受信機モジュール３０２、第１送信機モジュール３０４、プロセッサ３０６、Ｉ／Ｏデバイス３０８およびメモリ３１０を含む。いくつかの実施形態で、無線端末３００はまた、同じくバス３１２に結合された第２受信機モジュール３１８および第２送信機モジュール３２０も含む。
【００３１】
例えばＯＦＤＭ受信機などの第１受信機モジュール３０２は、無線端末３００が基地局からダウンリンク信号を受信する受信アンテナ３１４に結合されている。ダウンリンク信号は、例えばダウンリンクトラヒックチャネル区分割り当て信号などの割り当て信号、ダウンリンクトラヒックチャネル区分信号、基地局の負荷情報を中継するための無線端末に対する要求、基地局の負荷情報を中継するための無線端末に対するコマンド、および／または基地局接続点の負荷情報を含む。
【００３２】
例えばＯＦＤＭ送信機などの第１送信機モジュール３０４は、無線端末３００が基地局にアップリンク信号を送信する送信アンテナ３１６に結合されている。一部の実施形態では、例えばデュプレックスモジュールとともに、受信機モジュール３０２と送信機モジュール３０４のために同じアンテナが使用される。アップリンク信号は例えばＳＮＲレポートなどの専用の制御チャネルレポート、アップリンクトラヒックチャネル区分信号、アクセス信号、電力制御信号、タイミング制御信号およびハンドオフ信号を含む。アップリンク信号はまた、例えば、２つの隣の基地局の間で中継器として機能する無線端末とともに、基地局接続点に対応するメッセージ運搬負荷要素情報も含む。
【００３３】
例えばＯＦＤＭ受信機などの第２受信機モジュール３１８は、無線端末３００が基地局からダウンリンク信号を受信する受信アンテナ３２２に結合されている。ダウンリンク信号は例えばダウンリンクトラヒックチャネル区分割り当て信号などの割り当て信号、ダウンリンクトラヒックチャネル区分信号、基地局の負荷情報を中継するための無線端末に対する要求、基地局の負荷情報を中継するための無線端末に対するコマンドおよび／または基地局接続点の負荷情報を含む。
【００３４】
例えばＯＦＤＭ送信機などの第２送信機モジュール３２０は、無線端末３００が基地局にアップリンク信号を送信する送信アンテナ３２４に結合されている。一部の実施形態では、例えばデュプレックスモジュールとともに、受信機モジュール３１８と送信機モジュール３２４のために同じアンテナが使用される。アップリンク信号は例えばＳＮＲレポートなどの専用の制御チャネルレポート、アップリンクトラヒックチャネル区分信号、アクセス信号、電力制御信号、タイミング制御信号およびハンドオフ信号を含む。アップリンク信号はまた、例えば、２つの基地局の間で中継器として機能する無線端末とともに、基地局接続点に対応する、例えばダウンリンク負荷要素などのメッセージ運搬負荷情報も含む。
【００３５】
例えばキーパッド、キーボード、マイクロフォン、スイッチ、ディスプレイ、スピーカなどのＩ／Ｏデバイス３０８によって、ＷＴ３００のユーザはデータ／情報を入力し、出力データ／情報にアクセスすることができる。入力デバイス３０８によってユーザは、例えばピアノードと通信セッションを開始することなど、無線端末の少なくとも一部の機能を制御することができる。
【００３６】
メモリ３１０は、ルーティン３２６およびデータ／情報３２８を含む。例えばＣＰＵなどのプロセッサ３０６は、無線端末３００の動作を制御し、方法のステップを実施するために、ルーティン３２６を実行し、メモリ３１０の中のデータ／情報３２８を使用する。ルーティン３２６は、通信ルーティン３３０および基地局制御ルーティン３３２を含む。通信ルーティン３３０は、無線端末３００によって使用される様々な通信プロトコルを実施する。基地局制御ルーティン３３２は、負荷要素中継要求／コマンド監視モジュール(loading factor relay request/command monitoring module)３３４、負荷要素回収モジュール(loading factor recovery module)３３６および負荷要素中継モジュール(loading factor relay module)３３８を含む。
【００３７】
負荷要素要求／コマンド監視モジュール３３４は、第１基地局から、例えば１つまたは複数の接続点に対応するダウンリンクトラヒックチャネルの基地局負荷情報など、無線端末３００に基地局の負荷要素情報を受信させ、第２基地局に負荷要素情報を中継するように指示する無線端末３００に向けられた要求および／またはコマンドのために、受信されたダウンリンクシグナリングを監視する。一部の実施形態では、負荷要素中継要求／コマンド監視モジュール３３４は、無線端末３００が無線端末動作モードにある場合に使用され、ここで無線端末は、２つの異なる基地局の接続点に対する２つの通信リンクを同時に支援している。例えば、ＷＴ３００は現時点で受信機／送信機モジュールのペア（３０２／３０４）を介して第１基地局に結合されており、同時に送信機／受信機モジュールのペア（３１８／３２０）を介して第２基地局に結合されている動作のマルチ接続モードにあってもよく、監視モジュール３３４は、第１基地局の接続点についてのダウンリンク負荷情報を第２基地局に転送するように無線端末３００に要求または命令する信号を検出する。一部の実施形態では、無線端末が負荷要素情報の送信を求める要求を受信し、無線端末がマルチ接続モードにない場合、無線端末は負荷要素情報の転送を求める受信された要求／コマンドに応じて、マルチ接続モードに移行してもよい。
【００３８】
モジュール３３４によって検出される要求またはコマンドに応答する負荷要素回収モジュール３３６は、負荷情報、例えばダウンリンクの基地局接続点の負荷情報を、受信されたダウンリンク信号から回収する。負荷要素回収モジュール３３６に反応する負荷要素中継モジュール３３６は、例えば隣の基地局などの別のものにアップリンクシグナリングを介して通信される、メッセージ運搬回収負荷要素情報を生成する。負荷要素中継モジュール３３６はまた、そのような生成された中継メッセージの送信を制御する。
【００３９】
データ／情報３２８は、負荷要素情報を中継するための受信された要求／コマンド３４０、受信された基地局負荷要素情報３４２、生成された基地局負荷要素メッセージ情報３４４、システム基地局情報３４６、および無線端末の動作モード情報(wireless terminal mode of operation information)３４８を含む。基地局負荷要素情報を中継するための受信された要求／コマンド３４０は、中継器として働き、基地局間で負荷要素情報を転送するための、無線端末３００のための受信された要求および／またはコマンドを含む。一部の実施形態では、この要求は行き先の基地局を識別する。一部の実施形態では、無線端末は、ソースの基地局接続点からのダウンリンクシグナリングによって、例えば干渉などの影響を受ける場合がある、例えば隣の基地局などの関連した行き先の基地局を判定するために、記憶されたシステム基地局情報３４６を使用する。例えば、ダウンリンクトラヒックチャネルの負荷に対応する基地局接続点の負荷要素などの、受信された基地局負荷要素情報３４２は、回収モジュール３３６の出力であり、負荷要素中継モジュール３３８への入力である。生成された基地局負荷要素中継メッセージは、負荷要素中継モジュール３３８の出力であり、例えばモジュール３０４またはモジュール３２０などの無線端末モジュールへの入力として使用される。システム基地局情報３４６は、無線通信システムの中の複数の基地局に対応する情報（基地局１情報３５０、．．．、基地局ｎ情報３５２）を含む。基地局１情報３５０は、例えばダウンリンクキャリア情報、ダウンリンクトーンブロック情報、アップリンクキャリア情報、チャネル構造情報、トーンホッピング情報、電力レベル情報、メッセージ構造情報、繰り返しタイミング構造情報などの、基地局１の各接続点に対応する情報を含む。ＷＴの動作モード情報３４８は、無線端末３００が単一接続の動作モードにあるのか、またはマルチ接続の動作モードにあるのかを識別する情報を含む。
【００４０】
図４は、様々な実施形態に従う、複数の基地局を含む多元接続無線通信システムの中で第１基地局を操作する例示的な方法のフローチャート４００を示す図である。例示的な通信システムの中の各基地局は、基地局の近くで、例えば移動ノードなどの無線端末がネットワークに接続していてもよい少なくとも１つの基地局接続点を含む。基地局は、１つまたは複数のセクタを含んでもよい。この例示的な実施形態では、基地局の接続点は基地局のセクタ、アップリンクキャリア、アップリンクＯＦＤＭトーンブロック、ダウンリンクキャリアおよびダウンリンクＯＦＤＭトーンブロックに対応する。
【００４１】
動作は、第１基地局が電源を入れられて初期化されるステップ４０２で開始し、ステップ４０４へ進む。ステップ４０４で、第１基地局は、第２基地局に対応する第２基地局の接続点の負荷を示す第２基地局負荷要素情報を受信する。第２基地局は第１基地局の隣であってもよく、または時には隣にある。例示的な基地局の負荷情報は、接続されているアクティブの端末の数、それらの端末のサービス品質（ＱｏＳ）プロフィール（例えばＱｏＳ値の高い端末の数対ＱｏＳ値の低い端末の数など）、それらの端末に関連したトラヒックのＱｏＳプロフィール（例えば音声または映像トラヒックの量対ベストエフォート型データトラヒックの量など）、および接続されたアクティブの端末によって望まれるトラヒックを支援するために必要とされるエアリンクリソース（例えば電力および帯域幅など）を含む。例えば、基地局が増加された音声トラヒックのために働く場合、負荷は増えることがある。さらに、基地局が秒当たりのビットに関して同じ量のトラヒックのために働く場合であっても、接続された端末の大部分が基地局から遠い場合と、接続された端末の大部分が基地局の近くにある場合とでは、異なっていることがある。これは、特にはトラヒックを支援するために必要とされる電力などのエアリンクリソースが異なるからである。動作はステップ４０４からステップ４０６へ進む。
【００４２】
ステップ４０６で、第１基地局は、第１基地局の接続点である別の基地局の接続点に対応する、さらなる負荷要素情報の関数として、ダウンリンク送信電力バジェットを判定する。例えば、第１基地局の別の接続点および第２基地局の第２の接続点は、同じダウンリンクキャリア周波数および同じダウンリンクトーンブロックを使用する隣のセクタに対応することもでき、判定されたダウンリンク送信電力バジェットは、第１基地局の別の基地局の接続点に対応することができる。いくつかの実施形態で、判定されたダウンリンク送信電力バジェットは、少なくともパイロットチャネルとデータトラヒックチャネルとを含むダウンリンク通信チャネルのセットのためのものである。いくつかの実施形態では、パイロットチャネルに割り当てられた判定された電力バジェットの第１部分は、第１および第２の負荷要素情報とは無関係であり、データトラヒックチャネルに対応するために割り当てられた判定された電力バジェットの第２部分は、第２基地局の負荷要素情報およびさらなる負荷要素情報に依存する。例えば、第１基地局のさらなる接続点に対応するパイロットチャネル信号は、第２の負荷要素情報およびさらなる負荷要素情報の負荷条態とは無関係な第１の所定の送信電力レベルでブロードキャストされるが、第１基地局のさらなる接続点に対応するトラヒックチャネル信号は、第２負荷要素情報およびさらなる負荷要素情報の関数である電力レベルで送信される。ステップ４０６は、サブステップ４０８、４１０、４１２、４１４、４１６および４１８を含む。
【００４３】
サブステップ４０８で、第１基地局は第１基地局のさらなる負荷要素情報を前記第２基地局の負荷要素情報と比較する。比較される負荷要素情報は、例えばダウンリンクトラヒックチャネルのエアリンクリソースのダウンリンク負荷など、ダウンリンクに関するものであってもよい。動作は、サブステップ４０８からサブステップ４１０へ進む。サブステップ４１０で第１基地局は、サブステップ４０８の比較が、第２基地局の負荷が第１基地局の負荷よりも大きいということを示すかどうかを判定する。ステップ４１０での検査が、第２基地局の負荷が第１基地局の負荷よりも大きいということを示す場合、次いで動作は、基地局が、前記バジェットを示す第１値に対応する電力バジェットを判定するステップ４１２へ進み、第２基地局の負荷が第１基地局の負荷よりも大きいということを示さない場合、動作はサブステップ４１０からサブステップ４１４へ進む。
【００４４】
サブステップ４１４で第１基地局は、サブステップ４０８の比較が、第２基地局の負荷が第１基地局の負荷よりも小さいということを示すかどうかを判定する。ステップ４１４のチェックが、第２基地局の負荷が第１基地局の負荷よりも小さいということを示す場合、次いで動作は、基地局が、第１値によって示される電力バジェットよりも大きい前記バジェットを示す第２値に対応する電力バジェットを判定するサブステップ４１６へ進み、第２基地局の負荷が第１基地局の負荷よりも小さいということを示さない場合、動作はサブステップ４１４からサブステップ４１８へ進む。サブステップ４１８で第１基地局は、前記バジェットを示す第３値に対応する前記電力バジェットを判定する。例えば第３値は、第１値によって示される電力バジェットと第２値によって示される電力バジェットとの間の電力バジェットを示してもよい。
【００４５】
いくつかの実施形態では、ステップ４１０および４２０で比較されるべき基地局の負荷の値は、実際の負荷判定の量子化された表現であり、ステップ４１８へ進むことは、第１基地局と第２基地局との負荷の量子化レベルの値が同じであることを示してもよく、第１基地局と第２基地局との実際の負荷判定が大体同じであることを示している。
【００４６】
いくつかの実施形態では、ステップ４１０は、所定の第１の量によって、第２基地局の負荷が第２基地局の負荷よりも大きいかどうかを検査し、またステップ４１０は、第２の所定の量によって、第２基地局の負荷が第１基地局の負荷よりも大きいかどうかを検査する。したがって、動作がステップ４１８へ進む場合、それは第１基地局の負荷と第２基地局の負荷とが大体同じであるということを示している。
【００４７】
図５は、様々な実施形態に従う、複数の基地局を含む多元接続無線通信システムの中の第１基地局を操作する例示的な方法のフローチャート５００を示す図である。例示的な通信システムの中の各基地局は、基地局の近くで、例えば移動ノードなどの無線端末がネットワークに接続してもよい、少なくとも１つの基地局接続点を含む。基地局は、１つまたは複数のセクタを含む。この例示的な実施形態の中で、基地局の接続点は、基地局のセクタ、アップリンクキャリア、アップリンクＯＦＤＭトーンブロック、ダウンリンクキャリアおよびダウンリンクＯＦＤＭトーンブロックに対応する。
【００４８】
動作は、第１基地局が電源を入れられて初期化されるステップ５０２で開始し、ステップ５０４へ進む。ステップ５０４で、第１基地局は、第２基地局に対応する第２基地局接続点の負荷を示す第２基地局負荷要素情報を受信する。第２基地局は、第１基地局の隣にあってもよく、また時に隣にある。動作はステップ５０４からステップ５０６へ進む。
【００４９】
ステップ５０６で、第１基地局は、第１基地局の接続点である別の基地局の接続点に対応する、さらなる負荷要素情報の関数として、ダウンリンク送信電力バジェットを判定する。例えば、第１基地局の別の接続点および第２基地局の第２接続点は、同じダウンリンクキャリア周波数と同じダウンリンクトーンブロックを使用する隣のセクタに対応してもよく、判定されたダウンリンク送信電力バジェットは、第１基地局の別の基地局接続点に対応してもよい。一部の実施形態では、判定されたダウンリンク送信電力バジェットは、少なくともパイロットチャネルとデータトラヒックチャネルとを含むダウンリンク通信チャネルのセットのためのものである。一部の実施形態で、判定された電力バジェットの第１部分、パイロットチャネルに割り当てられている第１部分は、第１および第２の負荷要素情報とは無関係であり、判定された電力バジェットの第２部分、データトラヒックチャネルに対応するように割り当てられている第２部分は、第２基地局負荷要素情報およびさらなる負荷要素情報に依存する。例えば、第１基地局のさらなる接続点に対応するパイロットチャネル信号は、第２の負荷要素情報およびさらなる負荷要素情報の負荷条態とは無関係な第１の所定の送信電力レベルでブロードキャストされるが、第１基地局のさらなる接続点に対応するトラヒックチャネル信号は、第２の負荷要素情報およびさらなる負荷要素情報の関数である電力レベルで送信される。ステップ５０６は、サブステップ５０８、５１０、５１２、５１４および５１６を含む。
【００５０】
サブステップ５０８で、第１基地局は現在の第２基地局の負荷要素情報を、以前に記憶された第２基地局の負荷要素情報と比較する。比較される負荷要素情報は、例えばダウンリンクトラヒックチャネルのエアリンクリソースのダウンリンク負荷など、ダウンリンクに関するものであってよい。動作は、サブステップ５０８からサブステップ５１０へ進む。サブステップ５１０で、第１基地局は、サブステップ５０８の比較が前記第２基地局での負荷で増加、減少、または変化なしを示すのかどうかを判定する。ステップ５１０の判定が、第２基地局での第２接続点の負荷は増加しているというものである場合、動作は、第１基地局がダウンリンク送信電力バジェットを減少させるステップ５１２へ進む。ステップ５１０の判定が、第２基地局での負荷は変化していないというものである場合、動作はステップ５１０から、第１基地局がダウンリンク送信電力バジェットを変更しないステップ５１６へ進む。ステップ５１０の判定が、第２基地局での第２の負荷は減少しているというものである場合、動作は、第１基地局がダウンリンク送信電力バジェットを増加させるステップ５１４へ進む。
【００５１】
図６は、様々な実施形態に従う、複数の基地局を含む多元接続無線通信システムの中の第１基地局を操作する例示的な方法のフローチャート６００を示す図である。例示的な通信システムの中の各基地局は、基地局の近くで、例えば移動ノードなどの無線端末がネットワークに接続してもよい少なくとも１つの基地局接続点を含む。基地局は、１つまたは複数のセクタを含んでもよい。この例示的な実施形態の中で、基地局接続点は基地局のセクタ、アップリンクキャリア、アップリンクＯＦＤＭトーンブロック、ダウンリンクキャリアおよびダウンリンクＯＦＤＭトーンブロックに対応する。
【００５２】
動作は、第１基地局が電源を入れられて初期化されるステップ６０２で開始し、ステップ６０４へ進む。ステップ６０４で、第１基地局は、第２基地局に対応する第２基地局接続点の負荷を示す第２基地局負荷要素情報を受信する。第２基地局は、第１基地局の隣にあってもよく、また時に隣にある。動作は、ステップ６０４からステップ６０６へ進む。
【００５３】
ステップ６０６で、第１基地局は、第１基地局の接続点である別の基地局の接続点に対応する、さらなる負荷要素情報の関数として、ダウンリンク送信電力バジェットを判定する。例えば、第１基地局の別の接続点および第２基地局の第２接続点は、同じダウンリンクキャリア周波数および同じダウンリンクトーンブロックを使用する隣のセクタに対応してもよく、判定されたダウンリンク送信電力バジェットは、第１基地局の別の基地局接続点に対応してもよい。一部の実施形態では、判定されたダウンリンク送信電力バジェットは、少なくともパイロットチャネルとデータトラヒックチャネルとを含んだダウンリンク通信チャネルのセットのためのものである。一部のそうした実施形態では、判定された電力バジェットの第１部分、パイロットチャネルに割り当てられた第１部分は、第１および第２の負荷要素情報とは無関係であり、判定された電力バジェットの第２部分、データトラヒックチャネルに対応するために割り当てられた第２部分は、第２基地局の負荷要素情報およびさらなる負荷要素情報に依存する。例えば、第１基地局のさらなる接続点に対応するパイロットチャネル信号は、第２の負荷要素情報およびさらなる負荷要素情報の負荷条態とは無関係な第１の所定の送信電力レベルでブロードキャストされるが、第１基地局のさらなる接続点に対応するトラヒックチャネル信号は、第２負荷要素情報およびさらなる負荷要素情報の関数である電力レベルで送信される。ステップ６０６は、サブステップ６０８、６１０、６１２、６１４および６１６を含む。
【００５４】
サブステップ６０８で、第１基地局は現在の第１基地局の負荷要素情報を、以前に記憶された第１基地局の負荷要素情報と比較する。比較される負荷要素情報は、例えばダウンリンクトラヒックチャネルのエアリンクリソースのダウンリンク負荷など、ダウンリンクに関するものであってよい。動作は、サブステップ６０８からサブステップ６１０へ進む。サブステップ６１０で第１基地局は、サブステップ６０８の比較が、前記第１基地局での負荷の増加、減少または変化なしを示すのかどうかを判定する。ステップ６１０の判定が、第１基地局でのさらなる接続点の負荷は増加しているというものである場合、動作は、第１基地局がダウンリンク送信電力バジェットを増加させるステップ６１２へ進む。ステップ６１０の判定が、第１基地局での負荷は変化していないというものである場合、次いで動作はステップ６１０から、第１基地局がダウンリンク送信電力バジェットを変更しないステップ６１６へ進む。ステップ６１０の判定が、第１基地局での負荷は減少しているというものである場合、動作は、第１基地局がダウンリンク送信電力バジェットを減少させるステップ６１４へ進む。
【００５５】
図７は、複数の基地局を含む無線通信システムの中の基地局が別の基地局に対応する負荷要素情報を受信し、前記受信された基地局の負荷要素情報の関数として、ダウンリンク送信電力バジェットを判定する、様々な実施形態の特徴を示すために使用されるドローイング(drawing)１０００である。ドローイング１０００は、ネットワークリンク１０６８を介してともに結合された基地局１  １０５０と基地局２  １０５２とを含む例示的なドローイング１００２を含む。基地局１  １０５０は、無線リンクを介して複数の無線端末（ＷＴ１  １０５４、ＷＴ２  １０５６、ＷＴ３  １０５８、ＷＴ４  １０６０）に結合されている。基地局２  １０５２は、無線リンクを介して複数の無線端末（ＷＴ１’１０６２、ＷＴ４’１０６４）に結合されている。ＢＳ１  １０５０は、その現在のダウンリンクトラヒックチャネル負荷に対応する負荷要素(loading factor)１０７１を計算している。ＢＳ２  １０５２は、その現在のダウンリンクトラヒックチャネル負荷に対応する負荷要素１０７２を計算している。ＢＳ２は、その負荷要素を運搬するバックホールネットワークリンク１０６８を介して、メッセージ１０７４を送信する。ＢＳ１  １０５２は負荷要素メッセージ１０７４を受信し、ＢＳ２  １０７２に対応する負荷要素を回収し(recovers)、それ自体の負荷要素１０７０と負荷要素１０７２を比較する。ＢＳ１は、それ自体の負荷要素１０７０よりもＢＳ２  １０７２についての負荷要素の方が小さいということを判定し、したがってそのダウンリンク送信電力バジェットを第１のレベルに設定する。ドローイング１０００のドローイング１００６は、ドローイング１００２の例に対応するＢＳ１についてのダウンリンク電力バジェットを示す。ドローイング１００６では、矢印１０１０の高さは、基地局２の負荷要素が基地局１の負荷要素よりも小さいという判定された条件のためのＢＳ１のダウンリンク電力バジェットを示す。ダウンリンク電力バジェット１０１０は、ダウンリンクパイロットチャネルに関連した第１部分１０１２と、ダウンリンクトラヒックチャネルに関連した第２部分１０１６と、その他のダウンリンクチャネルに関連した第３部分１０１４とに分割されることが可能である。
【００５６】
ドローイング１０００はまた、ネットワークリンク１０６８を介してともに結合された、基地局１  １０５０と基地局２  １０５２とを含む例示的なドローイング１００４も含む。基地局１  １０５０は、無線リンクを介して複数の無線端末（ＷＴ１  １０５４、ＷＴ２  １０５６、ＷＴ３  １０５８、ＷＴ４、１０６０）に結合されている。この時、基地局２  １０５２は、無線リンクを介して複数の無線端末（ＷＴ１’１０６２、ＷＴ４’１０６４、ＷＴ５’１０７６、ＷＴ２’１０７８、ＷＴ６’１０８０、ＷＴ３’１０８２、ＷＴ７’１０８４）に結合されている。ＢＳ１  １０５０は、その現在のダウンリンクトラヒックチャネル負荷に対応する負荷要素１０８６を計算している。ＢＳ２  １０５２は、その現在のダウンリンクトラヒックチャネル負荷に対応する負荷要素１０８８を計算している。ＢＳ２は、その負荷要素１０８８を運搬するバックホールネットワークリンク１０６８を介して、メッセージ１０９０を送信する。ＢＳ１  １０５２は負荷要素メッセージ１０９０を受信し、ＢＳ２  １０８８に対応する負荷要素を回収し、それ自体の負荷要素１０８６と負荷要素１０８８を比較する。ＢＳ１は、それ自体の負荷要素１０８６よりもＢＳ２  １０８８についての負荷要素の方が大きいということを判定し、したがってそのダウンリンク送信電力バジェットを、第１のレベル１０１０よりも小さい第２のレベルに１０１８に設定する。ドローイング１０００のドローイング１００８は、ドローイング１００４の例に対応するＢＳ１についてのダウンリンク電力バジェットを示す。ドローイング１００８では、矢印１０１８の高さは、基地局２の負荷要素が基地局１の負荷要素よりも大きいという判定された条件のためのＢＳ１のダウンリンク電力バジェットを示す。ダウンリンク電力バジェット１０１８は、ダウンリンクパイロットチャネルに関連した第１部分１０２０と、ダウンリンクトラヒックチャネルに関連した第２部分１０２６と、その他のダウンリンクチャネルに関連した第３部分１０２４とに分割されることが可能である。この例の中で、パイロットチャネル１０１２、１０２０に関連した電力レベルは、負荷要素比較の判定に関わりなく同じものであるが、ダウンリンクトラヒックチャネルの電力バジェット（１０１６、１０２６）は、負荷要素比較からの異なる結果に応じて変化するということを認識されたい。
【００５７】
図８は、複数の基地局を含む無線通信システムの中の基地局が、別の基地局に対応する負荷要素情報を受信し、前記受信された基地局の負荷要素情報の関数として、ダウンリンク送信電力バジェットを判定する様々な実施形態の特徴を示すために使用されるドローイング１１００である。ドローイング１０００は、ネットワークリンク１１７０を介してともに結合された基地局１  １１５０と基地局２  １１５２とを含む例示的なドローイング１１０２を含む。基地局１  １１５０は、無線リンクを介して複数の無線端末（ＷＴ１  １１５４、ＷＴ２  １１５６、ＷＴ３  １１５８、ＷＴ４  １１６０）に結合されている。基地局２  １１５２は、無線リンクを介して複数の無線端末（ＷＴ１’１１６２、ＷＴ２’１１６４、ＷＴ３’１１６６、ＷＴ４’１１６８）に結合されている。ＢＳ１  １１５０は、その現在のダウンリンクトラヒックチャネル負荷に対応する負荷要素１１７２を計算している。ＢＳ２  １１５２は、その現在のダウンリンクトラヒックチャネル負荷に対応する負荷要素１１７４を計算している。ＢＳ２は、その負荷要素（ＬＦＢＳ２（ｔ１））１１７４を運搬するバックホールネットワークリンク１１７０を介して、メッセージ１１７６を送信する。ＢＳ１  １１５２は負荷要素メッセージ１１７６を受信し、ＢＳ２  １１７４に対応する負荷要素を回収し、それ自体の負荷要素１１７２と負荷要素１１７４を比較する。この例の中で、ＢＳ１は、ＢＳ２  １１７４についての負荷要素がＢＳ１自体の負荷要素１１７２と同じものであると判定し、説明を目的として、両方の基地局はこれらのレベルで安定しており、したがって基地局１はレベル１１１４に設定されているその電力バジェットを再調整することはないとみなす。ドローイング１１００のドローイング１１０８は、ドローイング１１０２の例に対応するＢＳ１についてのダウンリンク電力バジェットを示す。ドローイング１１０８では、矢印１１１４の高さは基地局１のダウンリンク電力バジェットを示す。ダウンリンク電力バジェット１１１４は、ダウンリンクパイロットチャネルに関連した第１部分１１１６と、ダウンリンクトラヒックチャネルに関連した第２部分１１２０と、その他のダウンリンクチャネルに関連した第３部分１１１８とに分割されることが可能である。
【００５８】
ドローイング１１００はまた、ネットワークリンク１１７０を介してともに結合された基地局１  １１５０と基地局２  １１５２とを含む例示的なドローイング１１０４を含む。基地局１  １１５０は、無線リンクを介して複数の無線端末（ＷＴ１  １１５４、ＷＴ２  １１５６、ＷＴ３  １１５８、ＷＴ４  １１６０）に結合されている。この時、基地局２  １１５２は、無線リンクを介して複数の無線端末（ＷＴ１’１１６２、ＷＴ２’１１６４、ＷＴ３’１１６６、ＷＴ４’１１６８、ＷＴ５’１１７８、ＷＴ６’１１８０、ＷＴ７’１１８２）に結合されている。ＢＳ１  １１５０は、その現在のダウンリンクトラヒックチャネル負荷に対応する負荷要素１１７２を計算している。ＢＳ２  １１５２は、その現在のダウンリンクトラヒックチャネル負荷に対応する負荷要素（ＬＦＢＳ２（ｔ２））１１８４を計算している。ＢＳ２は、その負荷要素１１８４を運搬するバックホールネットワークリンク１１７０を介して、メッセージ１１８６を送信する。ＢＳ１  １１５０は負荷要素メッセージ１１８６を受信し、ＢＳ２  １１８４に対応する負荷要素を回収し、ＢＳ２に対応する以前に記憶された負荷要素（ＬＦＢＳ２（ｔ１））１１７４と負荷要素１１８４を比較する。ＢＳ１は、ＢＳ２についての以前の負荷要素１１７４よりもＢＳ２  １１８４についての現在の負荷要素の方が大きいということを判定し、したがってそのダウンリンク送信電力バジェットをレベル１１２２に減少させる。ドローイング１１００のドローイング１１１０は、ドローイング１１０４の例に対応するＢＳ１についてのダウンリンク電力バジェットを示す。ドローイング１１１０では、矢印１１２２の高さは、基地局２の現在の負荷要素が基地局２の以前の負荷要素よりも大きいという判定された条件のためのＢＳ１の調整されたダウンリンク電力バジェットを示す。ダウンリンク電力バジェット１１２２は、ダウンリンクパイロットチャネルに関連した第１部分１１２４と、ダウンリンクトラヒックチャネルに関連した第２部分１１２８と、その他のダウンリンクチャネルに関連した第３部分１１２６とに分割されることが可能である。この例の中で、パイロットチャネル１１１６、１１２４に関連した電力レベルは、負荷要素比較の判定に関わりなく同じものであるが、ダウンリンクトラヒックチャネルの電力バジェット（１１２０、１１２８）は、負荷要素比較のトラッキングからの異なる結果に応じて変化するということを認識されたい。
【００５９】
ドローイング１１００はまた、ネットワークリンク１１７０を介してともに結合された基地局１  １１５０と基地局２  １１５２とを含む例示的なドローイング１１０６を含む。基地局１  １１５０は、無線リンクを介して複数の無線端末（ＷＴ１  １１５４、ＷＴ２  １１５６、ＷＴ３  １１５８、ＷＴ４  １１６０）に結合されている。この時、基地局２  １１５２は、無線リンクを介して複数の無線端末（ＷＴ１’１１６２、ＷＴ４’１１６８）に結合されている。ＢＳ１  １１５０は、その現在のダウンリンクトラヒックチャネル負荷に対応する負荷要素１１７２を計算している。ＢＳ２  １１５２は、その現在のダウンリンクトラヒックチャネル負荷に対応する負荷要素（ＬＦＢＳ２（ｔ３））１１８８を計算している。ＢＳ２は、その負荷要素１１８８を運搬するバックホールネットワークリンク１１７０を介して、メッセージ１１９０を送信する。ＢＳ１  １１５０はＢＳ２  １１８８に対応する負荷要素を回収し、ＢＳ２（ＬＦＢＳ２（ｔ２））１１８４に対応する以前に記憶された負荷要素と負荷要素１１８８を比較する。ＢＳ１は、ＢＳ２についての以前の負荷要素１１８４よりもＢＳ２  １１８８についての現在の負荷要素の方が小さいということを判定し、したがってそのダウンリンク送信電力バジェットをレベル１１３０に増加させる。ドローイング１１００のドローイング１１１２は、ドローイング１１０６の例に対応するＢＳ１についてのダウンリンク電力バジェットを示す。ドローイング１１１２では、矢印１１３０の高さは、基地局２の現在の負荷要素が基地局２の以前の負荷要素よりも小さいという判定された条件のためのＢＳ１の調整されたダウンリンク電力バジェットを示す。ダウンリンク電力バジェット１１３０は、ダウンリンクパイロットチャネルに関連した第１部分１１３２と、ダウンリンクトラヒックチャネルに関連した第２部分１１３６と、その他のダウンリンクチャネルに関連した第３部分１１３４とに分割されることが可能である。この例の中で、パイロットチャネル１１２４、１１３２に関連した電力レベルは、負荷要素比較の判定に関わりなく同じものであるが、ダウンリンクトラヒックチャネルの電力バジェット（１１２８、１１３６）は、負荷要素比較のトラッキングからの異なる結果に応じて変化するということを認識されたい。
【００６０】
図９は、複数の基地局を含む無線通信システムの中の基地局が、別の基地局に対応する負荷要素情報を受信し、基地局の負荷要素情報の関数として、ダウンリンク送信電力バジェットを判定する様々な実施形態の特徴を示すために使用されるドローイング１２００である。ドローイング１２００は、ネットワークリンク１２７０を介してともに結合された基地局１  １２５０と基地局２  １２５２とを含む例示的なドローイング１２０２を含む。基地局１  １２５０は、無線リンクを介して複数の無線端末（ＷＴ１  １２５４、ＷＴ２  １２５６、ＷＴ３  １２５８、ＷＴ４  １２６０）に結合されている。基地局２  １２５２は、無線リンクを介して複数の無線端末（ＷＴ１’１２６２、ＷＴ２’１２６４、ＷＴ３’１２６６、ＷＴ４’１２６８）に結合されている。ＢＳ１  １２５０は、その現在のダウンリンクトラヒックチャネル負荷に対応する負荷要素（ＬＦＢＳ１（ｔ１））１２７２を計算している。ＢＳ２  １２５２は、その現在のダウンリンクトラヒックチャネル負荷に対応する負荷要素１２７４を計算している。ＢＳ２は、その負荷要素（ＬＦＢＳ２）１２７４を運搬するバックホールネットワークリンク１２７０を介して、メッセージ１２７６送信する。ＢＳ１  １２５０はＢＳ２  １２７４に対応する負荷要素を回収し、それ自体の負荷要素１２７２と負荷要素１２７４を比較する。この例の中で、ＢＳ１は、ＢＳ２  １２７４についての負荷要素がＢＳ１自体の負荷要素１２７２と同じものであると判定し、説明を目的として、両方の基地局はこれらのレベルで安定しており、したがって基地局１はレベル１２１４に設定されているその電力バジェットを再調整することはないとみなす。ドローイング１２００のドローイング１２０８は、ドローイング１２０２の例に対応するＢＳ１についてのダウンリンク電力バジェットを示す。ドローイング１２０８では、矢印１２１４の高さは基地局１のダウンリンク電力バジェットを示す。ダウンリンク電力バジェット１２１４は、ダウンリンクパイロットチャネルに関連した第１部分１２１６と、ダウンリンクトラヒックチャネルに関連した第２部分１２２０と、その他のダウンリンクチャネルに関連した第３部分１２１８とに分割されることが可能である。
【００６１】
ドローイング１２００はまた、ネットワークリンク１２７０を介してともに結合された基地局１  １２５０と基地局２  １２５２とを含む例示的なドローイング１２０４を含む。この時、基地局１  １２５０は無線リンクを介して複数の無線端末（ＷＴ１  １２５４、ＷＴ２  １２５６、ＷＴ３  １２５８、ＷＴ４  １２６０、ＷＴ５  １２７８、ＷＴ６  １２８０、ＷＴ７  １２８２）に結合されている。この時、基地局２  １２５２は無線リンクを介して複数の無線端末（ＷＴ１’１２６２、ＷＴ２’１２６４、ＷＴ３’１２６６、ＷＴ４’１２６８）に結合されている。ＢＳ１  １２５０は、その現在のダウンリンクトラヒックチャネル負荷に対応する負荷要素（ＬＦＢＳ１（ｔ２））１２７２を計算している。ＢＳ２  １２５２は、その現在のダウンリンクトラヒックチャネル負荷に対応する負荷要素（ＬＦＢＳ２）１２７４を計算している。ＢＳ２は、その負荷要素１２７４を運搬するバックホールネットワークリンク１２７０を介して、メッセージ１２７６を送信する。ＢＳ１  １２５０はＢＳ２  １２７４に対応する負荷要素を回収し、ＢＳ２に対応する負荷要素が変化しないままであるということを認識する。ＢＳ１  １２５０はその現在の負荷要素１２８４を、ＢＳ１に対応する以前に記憶された負荷要素（ＬＦＢＳ１（ｔ１））１２７２と比較する。ＢＳ１は、ＢＳ１についての以前の負荷要素１２７２よりもＢＳ１  １２８４についての現在の負荷要素の方が大きいということを判定し、したがってそのダウンリンク送信電力バジェットをレベルに１２２２に増加させる。ドローイング１２００のドローイング１２１０は、ドローイング１２０４の例に対応するＢＳ１についてのダウンリンク電力バジェットを示す。ドローイング１２１０では、矢印１２２２の高さは、基地局１の現在の負荷要素が基地局１の以前の負荷要素よりも大きいという判定された条件のためのＢＳ１の調整されたダウンリンク電力バジェットを示す。ダウンリンク電力バジェット１２２２は、ダウンリンクパイロットチャネルに関連した第１部分１２２４と、ダウンリンクトラヒックチャネルに関連した第２部分１２２８と、その他のダウンリンクチャネルに関連した第３部分１２２６とに分割されることが可能である。この例の中で、パイロットチャネル１２１６、１２２４に関連した電力レベルは、負荷要素比較の判定に関わりなく同じものであるが、ダウンリンクトラヒックチャネルの電力バジェット（１２２０、１２２８）は、負荷要素比較からの異なる結果に応じて変化するということを認識されたい。
【００６２】
ドローイング１２００はまた、ネットワークリンク１２７０を介してともに結合された基地局１  １２５０と基地局２  １２５２とを含む例示的なドローイング１２０６を含む。この時、基地局１  １２５０は無線リンクを介して複数の無線端末（ＷＴ３  １２５８、ＷＴ４  １２６０）に結合されている。この時、基地局２  １２５２は無線リンクを介して複数の無線端末（ＷＴ１’１２６２、ＷＴ２’１２６４、ＷＴ３’１２６６、ＷＴ４’１２６８）に結合されている。ＢＳ１  １２５０は、その現在のダウンリンクトラヒックチャネル負荷に対応する負荷要素（ＬＦＢＳ１（ｔ３））１２８６を計算している。ＢＳ２  １２５２は、その現在のダウンリンクトラヒックチャネル負荷に対応する負荷要素（ＬＦＢＳ２）１２７４を計算している。ＢＳ２は、その負荷要素１２７４を運搬するバックホールネットワークリンク１２７０を介して、メッセージ１２７６を送信する。ＢＳ１  １２５０はＢＳ２  １２７４に対応する負荷要素を回収し、ＢＳ２に対応する負荷要素が変化しないままであるということを認識する。ＢＳ１はその現在の負荷要素１２８６を、ＢＳ１に対応する以前に記憶された負荷要素（ＬＦＢＳ１（ｔ２））１２８４と比較する。ＢＳ１は、ＢＳ１についての以前の負荷要素１２８４よりもＢＳ１  １２８６についての現在の負荷要素の方が小さいということを判定し、したがってそのダウンリンク送信電力バジェットをレベルに１２３０に減少させる。ドローイング１２００のドローイング１２１２は、ドローイング１２０６の例に対応するＢＳ１についてのダウンリンク電力バジェットを示す。ドローイング１２１２では、矢印１２３０の高さは、基地局１の現在の負荷要素が基地局１の以前の負荷要素よりも小さいという判定された条件のためのＢＳ１の調整されたダウンリンク電力バジェットを示す。ダウンリンク電力バジェット１２３０は、ダウンリンクパイロットチャネルに関連した第１部分１２３２と、ダウンリンクトラヒックチャネルに関連した第２部分１２３６と、その他のダウンリンクチャネルに関連した第３部分１２３４とに分割されることが可能である。この例の中で、パイロットチャネル１２２４、１２３２に関連した電力レベルは、負荷要素比較の判定に関わりなく同じものであるが、ダウンリンクトラヒックチャネルの電力バジェット（１２２８、１２３６）は、負荷要素比較からの異なる結果に応じて変化するということを認識されたい。
【００６３】
図１０Ａと図１０Ｂとの組合せを含む図１０は、様々な実施形態に従う、基地局を操作する例示的な方法のフローチャート２０００である。例えば図２の基地局２００などの例示的な基地局は、各々が少なくとも１つの基地局接続点を含んでいる複数の基地局を含む多元接続無線通信システムの中の基地局であってよい。動作は、基地局が電源を入れられて初期化されるステップ２００２で開始する。動作は接続ノードＡ２０３２を介して、開始ステップ２００２からステップ２００４、ステップ２０１０、ステップ２０２０およびステップ２０３４へ進む。
【００６４】
繰り返しの原則で実行されるステップ２００４では、基地局は、各基地局接続点についてのダウンリンク負荷を判定する。ステップ２００４の出力は、基地局１のダウンリンク負荷要素２００６、．．．、基地局１の接続点ｎのダウンリンク負荷要素２００８である。情報（２００６、．．．２００８）は、ステップ２０２０およびステップ２０３４に対する入力である。
【００６５】
ステップ２０１０で、基地局は、他の、例えば隣の、基地局の接続点に対応するダウンリンク負荷要素情報を受信する。この受信は、バックホールネットワークに対するインターフェースを介しても、および／または、無線受信機を介して、例えば、基地局と、中継器として機能する別の基地局とに同時に接続される無線端末用いてもよい。この受信は、そのダウンリンク負荷情報を通信するための別の基地局による要求に応じて、および／または決定に応じて、繰り返しの原則で実行されてもよい。１つまたは複数の基地局の様々な接続点に対応する情報は、ステップ２０１０の出力である（基地局２の接続点１のダウンリンク負荷要素２０１２、．．．、基地局２の接続点ｍのダウンリンク負荷要素２０１４、．．．基地局Ｎの接続点１のダウンリンク負荷要素２０１６、．．．、基地局Ｎの接続点ｐのダウンリンク負荷要素２０１８）。情報（２０１２、２０１４、２０１６、２０１８）は、ステップ２０２０に対する入力である。
【００６６】
ここでステップ２０２０は、基地局の各接続点のために実行される。ステップ２０２０で、基地局は、他の、例えば隣の、基地局に対応する負荷要素情報の関数として、ダウンリンク送信電力バジェットを判定する。一部の実施形態で、判定されたダウンリンク送信電力バジェットは、少なくともパイロットチャネルとデータチャネルとを含むダウンリンク通信チャネルのセットについての電力バジェットであり、例えばトーン当たりのパイロットチャネルの電力などのパイロットチャネルの送信電力レベルは負荷情報とは無関係であるが、一方でトラヒックチャネルに対応する判定されたダウンリンク電力バジェットの一部は、バジェットが対応する基地局接続点の負荷情報、および隣の基地局の隣の接続点の負荷に依存する。ステップ２０２０は、サブステップ２０２２、２０２４、２０２６および２０２８を含む。サブステップ２０２２で、基地局は考慮中の基地局接続点の現在の負荷を、考慮中の接続点に干渉する可能性のある隣の基地局の接続点の負荷と比較する。サブステップ２０２４で、基地局は考慮中の基地局接続点の現在の負荷を、考慮中の基地局接続点の以前の負荷と比較する。サブステップ２０２６で、基地局は干渉する可能性のある隣の基地局接続点の現在の負荷を、同じ干渉する可能性のある隣の基地局接続点の以前の負荷と比較する。サブステップ２０２６は、複数の異なる干渉する可能性のある隣の基地局接続点について、実行されてもよい。
【００６７】
動作はサブステップ２０２２、２０２４および２０２６からサブステップ２０２８へ進む。サブステップ２０２８で、基地局は、時間に伴う基地局接続点での負荷の変化、時間に伴う隣の基地局接続点での負荷の変化、考慮中の基地局接続点の負荷と隣の基地局の接続点の負荷との比較の結果、現在のダウンリンク送信電力バジェット、以前のダウンリンク送信電力バジェット、および代替の可能なダウンリンク送信電力バジェットの関数として、基地局の接続点のダウンリンク送信電力バジェットを調整する。サブステップ２０２８はサブステップ２０３０を含む。サブステップ２０３０で、基地局は、基地局接続点のダウンリンクトラヒックチャネルの電力バジェットを調整する。
【００６８】
いくつかの実施形態で、基地局の接続点について電力バジェットを判定することは、他の、例えば隣の、基地局の接続点の負荷が、バジェットが適用される基地局接続点の負荷よりも大きいと比較が示す場合に、前記バジェットを示す第１値に対応する電力バジェットを判定することと、他の、例えば隣の、基地局の接続点の負荷が、バジェットが適用される基地局付着点の負荷よりも小さいと比較が示す場合に、第１値によって示される電力バジェットよりも大きい電力バジェットを示す第２値に対応する電力バジェットを判定することとを含む。
【００６９】
様々な実施形態で、基地局の接続点について電力バジェットを判定することは、他の、例えば隣の、基地局の接続点での負荷の増加を検出することに応じて、現在の電力バジェットを減少させることを含む。一部の実施形態では、基地局の接続点について電力バジェットを判定することは、他の、例えば隣の、基地局の接続点での負荷の減少を検出することに応じて、現在の電力バジェットを増加させることを含む。
【００７０】
様々な実施形態で、基地局の接続点について電力バジェットを判定することは、接続点での負荷の増加を検出することに応じて、現在の電力バジェットを増加させることを含む。一部の実施形態で、基地局の接続点について電力バジェットを判定することは、接続点での負荷の減少を検出することに応じて、現在の電力バジェットを減少させることを含む。
【００７１】
一部の実施形態で、基地局は接続点のために、例えば２つ、３つ、または４つ以上の複数の所定のダウンリンク送信電力バジェットの代替のレベルを支援し、基地局は接続点のために、所与の時間について可能な代替レベルのうちの１つを使用することを選択する。したがって基地局は、隣の基地局での負荷の変化を含む負荷の変化に応じて、可能な代替物の間でその電力バジェットを動的に変えてもよい。一部の実施形態で、基地局は、それらの選択されたダウンリンク送信電力バジェットのレベルを識別する情報を、他の基地局、例えば隣の基地局、に通信してもよい。
【００７２】
ステップ２０３４で、基地局は基地局接続点のダウンリンク負荷情報を運搬するメッセージを生成する。基地局接続点の負荷情報（ＢＳ１接続点１ダウンリンク負荷要素２００６、．．．、基地局１接続点ｎダウンリンク負荷要素２００８）は、ステップ２０３４への入力である。動作は２０３４から２０３６へ進む。ステップ２０３６で、基地局は、他の、例えば隣の、基地局に向けられた判定された基地局接続点の負荷要素情報を含む、生成されたステップ２０３４のメッセージを送信する。隣の基地局に向けられた送信は、バックホールネットワークに対するインターフェースを介するものであってよく、および／または基地局と隣の基地局との両方に結合された無線端末を介するものであってもよい。ステップ２０３４および２０３６の動作は、その負荷情報を１つまたは複数の基地局に通信するために、隣の基地局からの要求に応じて、および／または基地局による決定に基づいて、例えば繰り返しタイミング構造の一部として継続的に実行される。一部の実施形態で、基地局接続点のうちの１つのダウンリンク負荷要素は、その負荷が高いレベルに達したということを判定する基地局に応じて、および／または検出された、例えば所定の量の負荷の変化に応じて、１つまたは複数の選択された隣の基地局に通信される。
【００７３】
様々な実施形態の方法および装置は、ＯＦＤＭシステムのコンテキストで説明されているが、多くの非ＯＦＤＭおよび／または非移動通信システムを含む多岐にわたる通信システムに適用可能である。
【００７４】
本明細書で説明されている様々な実施形態のノードは、例えば信号処理、ビーコン生成、ビーコン検出、ビーコン測定、接続の比較、接続の実施などの１つまたは複数の方法に対応するステップを実行するための１つまたは複数のモジュールを使用してインプリメントされる。一部の実施形態の様々な特徴は、モジュールを使用してインプリメントされる。そのようなモジュールは、ソフトウェア、ハードウェアまたはソフトウェアとハードウェアとの組合せを使用してインプリメントされてもよい。上述の方法または方法ステップのうちの多くは、例えば１つまたは複数のノードの中で、上述の方法のうちのすべてまたは一部を実施するために、例えばさらなるハードウェアを伴う、または伴わない汎用コンピュータなどの機械を制御するための、例えばＲＡＭ、フロッピー（登録商標）ディスク等のメモリデバイスなどの機械可読媒体の中に含まれたソフトウェアなどの機械実行可能命令を使用して実施されることが可能である。したがって特に、様々な実施形態は、プロセッサおよび関連のハードウェアなどの機械に上述の方法のうちの１つまたは複数のステップを実行させるための機械実行可能命令を含む機械可読媒体を対象とするものである。
【００７５】
上述の説明を考慮すれば、上述の方法および装置に対する多数のさらなる変形形態が当業者には明らかであろう。そのような変形形態は、範囲内に入るとみなされるべきである。様々な実施形態の方法および装置は、様々な実施形態の中で、ＣＤＭＡ、直行周波数分割多重（ＯＦＤＭ）、および／または接続ノードと移動ノードとの間に無線通信リンクを提供するために使用されてよいその他の種類の通信技術とともに使用されてもよい。一部の実施形態で、接続ノードは、ＯＦＤＭおよび／またはＣＤＭＡを使用して移動ノードとの通信リンクを確立する基地局としてインプリメントされる。様々な実施形態で、移動ノードは、様々な実施形態の方法を実施するために、ノートブックコンピュータ、携帯情報端末（ＰＤＡ）、または受信機／送信機回路および論理および／またはルーティンを含むその他のポータブルデバイスとして実施される。
【図面の簡単な説明】
【００７６】
【図１】図１は、様々な実施形態に従ってインプリメントされる例示的な無線通信システムの図である。
【図２】図２は、様々な実施形態に従う、例示的な基地局の図である。
【図３】図３は、様々な実施形態に従う、例示的な無線端末の図である。
【図４】図４は、様々な実施形態に従って、複数の基地局を含む多元接続無線通信システムにおいて第１基地局を操作する例示的な方法のフローチャートの図である。
【図５】図５は、様々な実施形態に従って、複数の基地局を含む多元接続無線通信システムにおいて第１基地局を操作する例示的な方法のフローチャートの図である。
【図６】図６は、様々な実施形態に従って、複数の基地局を含む多元接続無線通信システムにおいて第１基地局を操作する例示的な方法のフローチャート６００の図である。
【図７】図７は、複数の基地局を含む無線通信システムにおける基地局が、別の基地局に対応する負荷要素情報を受信し、受信された基地局の負荷要素情報の関数として、ダウンリンク送信電力バジェットを決定する、様々な実施形態の特徴を示すために使用される図である。
【図８】図８は、複数の基地局を含む無線通信システムにおける基地局が、別の基地局に対応する負荷要素情報を受信し、受信された基地局の負荷要素情報の関数として、ダウンリンク送信電力バジェットを決定する、様々な実施形態の特徴を示すために使用される図である。
【図９】図９は、複数の基地局を含む無線通信システムにおける基地局が、別の基地局に対応する負荷要素情報を受信し、基地局の負荷要素情報の関数として、ダウンリンク送信電力バジェットを決定する、様々な実施形態の特徴を示すために使用される図である。
【図１０】図１０は、図１０Ａと図１０Ｂの組み合わせを備えており、様々な実施形態に従って、基地局を操作する例示的な方法のフローチャートを示す。
【図１０Ａ】図１０は、図１０Ａと図１０Ｂの組み合わせを備えており、様々な実施形態に従って、基地局を操作する例示的な方法のフローチャートを示す。
【図１０Ｂ】図１０は、図１０Ａと図１０Ｂの組み合わせを備えており、様々な実施形態に従って、基地局を操作する例示的な方法のフローチャートを示す。
【図１】
2009512361.tif 000003
【図２】
2009512361.tif 000004
【図３】
2009512361.tif 000005
【図４】
2009512361.tif 000006
【図５】
2009512361.tif 000007
【図６】
2009512361.tif 000008
【図７】
2009512361.tif 000009
【図８】
2009512361.tif 000010
【図９】
2009512361.tif 000011
【図１０】
2009512361.tif 000012
【図１０Ａ】
2009512361.tif 000013
【図１０Ｂ】
2009512361.tif 000014
【国際調査報告】
2009512361.tif 000015
2009512361.tif 000016
2009512361.tif 000017